(57)【要約】      （修正有）【課題】バランスドアーマチュアを有してオーディオデータ信号を出力して再生するモバイル装置を提供する。【解決手段】オーディオデータ信号を受信するオーディオデータ信号入力部３００と、受信したオーディオデータ信号の第１の再生周波数帯域のオーディオ信号を出力する少なくとも一つのオーディオ出力手段２００と、受信したオーディオデータ信号の第２の再生周波数帯域のオーディオ信号を出力し、上記第２の再生周波数帯域は上記第１の再生周波数帯域と相異するバランスドアーマチュア２０２と、少なくとも一つのフィルタを使用して上記第１の再生周波数帯域と上記第１の再生周波数帯域と相違する上記第２の再生周波数帯域を調整し、調整された第１の再生周波数帯域と調整された第２の再生周波数帯域の組合せは調整された第１の再生周波数帯域と調整された第２の再生周波数帯域の各々より広い、オーディオ信号処理部３１０とを備える。【選択図】図３
2014033444.tif 000002
【特許請求の範囲】
【請求項１】
モバイル装置であって、
オーディオデータ信号を受信する前記モバイル装置のオーディオデータ信号入力部と、
前記受信したオーディオデータ信号の第１の再生周波数帯域のオーディオ信号を出力する少なくとも一つのオーディオ出力手段と、
前記受信したオーディオデータ信号の第２の再生周波数帯域のオーディオ信号を出力するバランスドアーマチュアであって、前記第２の再生周波数帯域は、前記第１の再生周波数帯域と相異である、バランスドアーマチュアと、
少なくとも一つのフィルタを使用して、前記第１の再生周波数帯域と前記第２の再生周波数帯域を調整するオーディオ信号処理部であって、
前記調整された第１の周波数帯域と前記調整された第２の周波数帯域の組合せは、前記調整された第１の再生周波数帯域と前記調整された第２の再生周波数帯域の各々より広い、オーディオ信号処理部と、
を備えることを特徴とするモバイル装置。
【請求項２】
前記オーディオデータ信号入力部は、移動通信網の音声通話サービスを利用して前記オーディオデータ信号を受信する移動通信データ受信部を含むことを特徴とする、請求項１に記載のモバイル装置。
【請求項３】
前記オーディオデータ信号は、音声周波数帯域に基づいて生成されることを特徴とする、請求項１に記載のモバイル装置。
【請求項４】
前記バランスドアーマチュアは、前記少なくとも一つのオーディオ出力手段の近くに位置することを特徴とする、請求項１に記載のモバイル装置。
【請求項５】
前記オーディオ信号処理部において、前記少なくとも一つのオーディオ出力手段の再生周波数帯域調整に使用される第１のフィルタの周波数応答と前記バランスドアーマチュアの再生周波数帯域調整に使用される第２のフィルタの周波数応答とが交差するクロスオーバ周波数を変更するクロスオーバ周波数変更部をさらに含むことを特徴とする、請求項１に記載のモバイル装置。
【請求項６】
前記少なくとも一つのオーディオ出力手段と前記バランスドアーマチュアに対して使用するか否かを決定するオーディオ出力手段使用判断部をさらに含むことを特徴とする、請求項１に記載のモバイル装置。
【請求項７】
前記少なくとも一つのオーディオ出力手段の前記第１の再生周波数帯域と前記バランスドアーマチュアの第２の再生周波数帯域を調整するための入力を受ける再生周波数帯域調整入力部をさらに含むことを特徴とする、請求項１に記載のモバイル装置。
【請求項８】
前記モバイル装置において、ワイドバンド音声通話サービスが可能であるか否かを判断するワイドバンド判断部をさらに含み、
前記制御部は、前記ワイドバンド音声通話サービスができる場合には、前記少なくとも一つのオーディオ出力手段と前記バランスドアーマチュアを通して、前記オーディオデータ信号を出力し、前記ワイドバンド音声通話サービスができない場合には、前記少なくとも一つのオーディオ出力手段と前記バランスドアーマチュアのうちいずれか一つを通して、前記オーディオデータ信号を出力することを特徴とする、請求項１に記載のモバイル装置。
【請求項９】
前記第１の再生周波数帯域を出力させる少なくとも一つのオーディオ出力手段は、ダイナミックレシーバであることを特徴とする、請求項１に記載のモバイル装置。
【請求項１０】
モバイル装置の制御方法であって、
オーディオデータ信号を受信するステップと、
前記受信したオーディオデータ信号の第１の再生周波数帯域と前記受信したオーディオデータ信号の第２の再生周波数帯域を少なくとも一つのフィルタを使用して調整するステップであって、前記第２の再生周波数帯域は、前記第１の再生周波数帯域と相異であり、前記調整された第１の周波数帯域と前記調整された第２の再生周波数帯域の組合せは、前記調整された第１の再生周波数帯域と前記調整された第２の再生周波数帯域の各々より広い、ステップと、
前記調整された第１の再生周波数帯域のオーディオデータ信号を前記少なくとも一つのオーディオ出力手段に出力し、前記調整された第２の再生周波数帯域のオーディオデータ信号をバランスドアーマチュアに出力するステップと、
を含むことを特徴とする、モバイル装置の制御方法。
【請求項１１】
前記オーディオデータ信号を受信するステップは、移動通信網の音声通話サービスを利用して、前記オーディオデータ信号を受信することを特徴とする、請求項１０に記載のモバイル装置の制御方法。
【請求項１２】
前記少なくとも一つのオーディオ出力手段の再生周波数帯域調整に使用される第１のフィルタの周波数応答と前記バランスドアーマチュアの再生周波数帯域調整に使用される第２のフィルタの周波数応答とが交差するクロスオーバ周波数を変更するステップをさらに含むことを特徴とする、請求項１１に記載のモバイル装置の制御方法。
【請求項１３】
前記少なくとも一つのオーディオ出力手段と前記バランスドアーマチュアに対して使用するか否かを決定するステップをさらに含むことを特徴とする、請求項１１に記載のモバイル装置の制御方法。
【請求項１４】
前記少なくとも一つのオーディオ出力手段の前記第１の再生周波数帯域と前記バランスドアーマチュアの第２の再生周波数帯域を調整するための入力を受けるステップをさらに含むことを特徴とする、請求項１１に記載のモバイル装置の制御方法。
【請求項１５】
前記モバイル装置において、ワイドバンド音声通話サービスが可能であるか否かを判断するステップをさらに含み、
前記ワイドバンド音声通話サービスができる場合には、前記少なくとも一つのオーディオ出力手段と前記バランスドアーマチュアを通して前記オーディオデータ信号を出力し、前記ワイドバンド音声通話サービスができない場合には、前記少なくとも一つのオーディオ出力手段と前記バランスドアーマチュアのうちいずれか一つを通して前記オーディオデータ信号を出力するステップをさらに含むことを特徴とする、請求項１１に記載のモバイル装置の制御方法。
【発明の詳細な説明】
【技術分野】
【０００１】
本発明は、モバイル装置及び制御方法に関し、特に、バランスドアーマチュアを有して効果的にオーディオデータ信号を出力して再生する技術に関する。
【背景技術】
【０００２】
モバイル装置の技術の発展により、上記モバイル装置に使用されるオーディオ出力手段（受話器）に対する技術も急速に発展している。そして、モバイル装置に対する通信技術も急速に発展することによって、上記モバイル装置で出力されるオーディオデータ信号に対する再生周波数帯域も広がっている。
【０００３】
しかし、上記モバイル装置に取り付けられたオーディオ出力手段の場合、上記モバイル装置の携帯性を考慮して小型のオーディオ出力手段が取り付けられている。しかし、小型のオーディオ出力手段が取り付けられた場合、上記モバイル装置のユーザは、電話通話の受話音程度に対応する再生周波数帯域に限定された音響を聞くことしかできない。したがって、最近、上記モバイル装置のオーディオデータ信号に対する再生周波数帯域が広くなることで、広くなった再生周波数帯域を全てカバーできるオーディオ出力手段が要請されている。
【先行技術文献】
【特許文献】
【０００４】
【特許文献１】米国特許出願公開第２０１２―００８７５３３号公報
【発明の概要】
【発明が解決しようとする課題】
【０００５】
本発明の一実施形態は、バランスドアーマチュアを有して、オーディオデータ信号を出力するモバイル装置及び制御方法を提供する。
【０００６】
また、本発明の一実施形態は、オーディオ信号処理部を通してオーディオ出力手段に対する各々の再生周波数帯域を調整してオーディオデータ信号を出力するバランスドアーマチュアを含むモバイル装置及び制御方法を提供する。
【課題を解決するための手段】
【０００７】
本発明の一実施形態によるモバイル装置は、オーディオデータ信号を受信する上記モバイル装置のオーディオデータ信号入力部を備える。当該モバイル装置はまた、上記受信したオーディオデータ信号の第１の再生周波数帯域のオーディオ信号を出力する少なくとも一つのオーディオ出力手段と、上記受信したオーディオデータ信号の第２の再生周波数帯域のオーディオ信号を出力するバランスドアーマチュアを備える。上記第２の再生周波数帯域は、上記第１の再生周波数帯域と異なる。当該装置は、少なくとも一つのフィルタを使用して上記第１の再生周波数帯域と上記第２の再生周波数帯域を調整するオーディオ信号処理部を備える。上記調整された第１の周波数帯域と上記調整された第２の周波数帯域の組合せは、上記調整された第１の再生周波数帯域と上記調整された第２の再生周波数帯域の各々よりも広い。
【０００８】
本発明の別の態様によれば、モバイル装置の制御方法が提供される。オーディオデータ信号が受信される。上記受信したオーディオデータ信号の第１の再生周波数帯域と上記受信したオーディオデータ信号の第２の再生周波数帯域が少なくとも一つのフィルタを使用して調整される。上記第２の再生周波数帯域は、上記第１の再生周波数帯域と異なる。上記調整された第１の周波数帯域と上記調整された第２の周波数帯域の組合せは、上記調整された第１の再生周波数帯域と上記調整された第２の再生周波数帯域の各々より広い。上記調整された第１の再生周波数帯域のオーディオデータ信号は上記少なくとも一つのオーディオ出力手段で出力され、上記調整された第２の再生周波数帯域のオーディオデータ信号はバランスドアーマチュアで出力される。
【発明の効果】
【０００９】
本発明の一実施形態によれば、バランスドアーマチュアを使用することによってオーディオデータ信号が再生される再生周波数帯域が広くなる。
【００１０】
本発明の一実施形態によるバランスドアーマチュアを含むモバイル装置は、オーディオ信号処理部を通して、オーディオ出力手段に対する各々の再生周波数帯域を調整して、オーディオデータ信号を再生することができる。
【図面の簡単な説明】
【００１１】
【図１】本発明の一実施形態によるモバイル装置を示す概略的なブロック図である。
【図２】本発明の一実施形態によるモバイル装置の正面図である。
【図３】本発明の一実施形態によるモバイル装置の内部ブロック図である。
【図４Ａ】本発明の一実施形態による一つのオーディオ出力手段を含むモバイル装置の再生周波数帯域を示す図である。
【図４Ｂ】本発明の一実施形態による一つのオーディオ出力手段を含むモバイル装置の再生周波数帯域を示す図である。
【図５Ａ】本発明の一実施形態によるモバイル装置の再生周波数帯域を示す図である。
【図５Ｂ】本発明の一実施形態によるモバイル装置の再生周波数帯域を示す図である。
【図６Ａ】本発明の一実施形態によるオーディオ信号処理部が第１の再生周波数帯域を調整する内容を示す図である。
【図６Ｂ】本発明の一実施形態によるオーディオ信号処理部が第１の再生周波数帯域を調整する内容を示す図である。
【図６Ｃ】本発明の一実施形態によるオーディオ信号処理部が第１の再生周波数帯域を調整する内容を示す図である。
【図７Ａ】本発明の一実施形態によるオーディオ信号処理部が第２の再生周波数帯域を調整する内容を示す図である。
【図７Ｂ】本発明の一実施形態によるオーディオ信号処理部が第２の再生周波数帯域を調整する内容を示す図である。
【図７Ｃ】本発明の一実施形態によるオーディオ信号処理部が第２の再生周波数帯域を調整する内容を示す図である。
【図８】本発明の一実施形態によるオーディオ出力手段の周波数スペクトラムとバランスドアーマチュアの周波数スペクトラムとが組み合わせられた周波数スペクトラムを示した図である。
【図９】本発明の他の実施形態によるモバイル装置の内部ブロック図である。
【図１０Ａ】本発明の一実施形態によるクロスオーバ周波数を示す図である。
【図１０Ｂ】本発明の一実施形態によるクロスオーバ周波数を示す図である。
【図１０Ｃ】本発明の一実施形態によるクロスオーバ周波数を示す図である。
【図１１】本発明の他の実施形態によるモバイル装置の内部ブロック図である。
【図１２Ａ】本発明の一実施形態によるワイドバンド再生時の周波数スペクトラムが示される図である。
【図１２Ｂ】本発明の一実施形態によるワイドバンド再生時の周波数スペクトラムが示される図である。
【図１２Ｃ】本発明の一実施形態によるワイドバンド再生時の周波数スペクトラムが示される図である。
【図１３Ａ】本発明の一実施形態によるナローバンド再生周波数帯域でダイナミックレシーバとバランスドアーマチュアが同時に使われる場合を示す図である。
【図１３Ｂ】本発明の一実施形態によるナローバンド再生周波数帯域でダイナミックレシーバとバランスドアーマチュアが同時に使われる場合を示す図である。
【図１３Ｃ】本発明の一実施形態によるナローバンド再生周波数帯域でダイナミックレシーバとバランスドアーマチュアが同時に使われる場合を示す図である。
【図１４】本発明の一実施形態によるバンドパスフィルタがオーディオ出力手段で使用された周波数応答を示した図である。
【図１５Ａ】本発明の一実施形態による再生周波数帯域調整が実行される過程を示す図である。
【図１５Ｂ】本発明の一実施形態による再生周波数帯域調整が実行される過程を示す図である。
【図１６】本発明の一実施形態のモバイル装置の制御方法に対するフローチャートである。
【図１７】本発明の他の実施形態のモバイル装置の制御方法に対するフローチャートである。
【図１８】本発明の他の実施形態のモバイル装置の制御方法に対するフローチャートである。
【図１９】本発明の他の実施形態のモバイル装置の制御方法に対するフローチャートである。
【図２０】本発明の他の実施形態のモバイル装置の制御方法に対するフローチャートである。
【発明を実施するための形態】
【００１２】
以下、添付された図面に記載された内容を参照して本発明による例示的実施形態を詳細に説明する。ただし、本発明は、例示的実施形態により制限されたり限定されるものではない。各図面に示された同じ参照符号は実質的に同じ機能を遂行する部材を示す。
【００１３】
第１及び第２のように、序数を含む用語は多様な構成要素を説明するために使われることができるが、上記構成要素は上記用語により限定されない。上記用語は、ただ一つの構成要素を他の構成要素から区別する目的で使われる。例えば、本発明の権利範囲を抜け出さず、第１の構成要素は第２の構成要素と命名でき、同様に第２の構成要素も第１の構成要素と命名できる。及び／またはという用語は、記載された項目に関する多様な組合せ、または記載された項目に関する多様な組合せのうちいずれかの項目を含む。
【００１４】
ある構成要素が他の構成要素に「連結されて」または「接続されて」いると言及された時には、その他の構成要素に直接的に連結されたりまたは接続されたりすることも出来るが、間に他の構成要素が存在することもできると理解すべきである。反面、ある構成要素が他の構成要素に「直接連結されて」または「直接接続されて」いると言及された時には、間に他の構成要素が存在していないと理解すべきである。
【００１５】
本願出願で使用した用語は、単に特定の実施形態を説明するために使われただけで、本発明を限定する意図ではない。単数の表現は、文脈上、明白に異ならない場合、複数の表現を含む。本願出願で、「含む」または「有する」などの用語は、明細書上に記載された特徴、数字、ステップ、動作、構成要素、部品またはそれらを組み合せたことが存在することを示す意図であり、一つまたはそれ以上の他の特徴や数字、ステップ、動作、構成要素、部品またはそれらを組み合せたものの存在または付加可能性を予め排除しないものと理解すべきである。
【００１６】
異なるように定義されない限り、技術的または科学的な用語を含めてここで使われる全ての用語は、本発明が属する技術分野で通常の知識を有する者に一般的に理解されることと同じ意味を持っている。一般的に使われる辞書に定義されているような用語は、関連技術の文脈上有する意味と一致する意味で解されるべきであり、本願出願で明白に定義しない限り、理想的または過度に形式的な意味で解されない。
【００１７】
図１は、本発明の一実施形態によるモバイル装置を示す概略的なブロック図である。
【００１８】
図１を参照すれば、モバイル装置１００は、移動通信モジュール１２０、サブ通信モジュール１３０及びコネクタ１６５を利用して、外部装置（図示せず）と接続されることができる。「外部装置」は、他の装置（図示せず）、携帯電話（図示せず）、スマートフォン（図示せず）、タブレットＰＣ（図示せず）及びサーバ（図示せず）とを含む。
【００１９】
図１を参照すれば、モバイル装置１００は、制御部１１０、移動通信モジュール１２０、サブ通信モジュール１３０、マルチメディアモジュール１４０、カメラモジュール１５０、ＧＰＳモジュール１５５、入出力モジュール１６０、センサモジュール１７０、記憶部１７５、電源供給部１８０、及び表示部１９０とを含む。サブ通信モジュール１３０は、無線ＬＡＮモジュール１３１及び近距離通信モジュール１３２のうち少なくとも一つを含み、マルチメディアモジュール１４０は、放送通信モジュール１４１、オーディオ再生モジュール１４２及びビデオ再生モジュール１４３のうち少なくとも一つを含む。カメラモジュール１５０は、第１のカメラ１５１及び第２のカメラ１５２のうち少なくとも一つを含み、入出力モジュール１６０は、ボタン１６１、マイク１６２、スピーカ１６３、振動モータ１６７、コネクタ１６５、及びキーパッド１６６のうち少なくとも一つを含む。
【００２０】
制御部１１０は、ＣＰＵ１１１、モバイル装置１００の制御のための制御プログラムが記憶されたＲＯＭ１１２及びモバイル装置１００の外部から入力される信号またはデータを記憶したり、モバイル装置１００で遂行される作業のための記憶領域として使用されるＲＡＭ１１３を含むことができる。ＣＰＵ１１１は、シングルコア、デュアルコア、トリプルコア、またはクアドコアを含むことができる。ＣＰＵ１１１、ＲＯＭ１１２及びＲＡＭ１１３は、内部バスを通して相互接続されることができる。 
【００２１】
制御部１１０は、移動通信モジュール１２０、サブ通信モジュール１３０、マルチメディアモジュール１４０、カメラモジュール１５０、ＧＰＳモジュール１５５、入出力モジュール１６０、センサモジュール１７０、記憶部１７５、電源供給部１８０、及び表示部１９０を制御できる。制御部１１０は、下記で説明するオーディオデータ信号入力部３００、オーディオ信号処理部３１０、クロスオーバ周波数変更部９００、オーディオ出力手段使用判断部１１００、及び再生周波数帯域調整入力部１１１を含むことができ、オーディオデータ信号入力部３００、オーディオ信号処理部３１０、クロスオーバ周波数変更部９００、オーディオ出力手段使用判断部１１００、及び再生周波数帯域調整入力部１１１が別途に形成され、制御部１１０はこれらを制御することもできる。
【００２２】
移動通信モジュール１２０は、制御部１１０の制御によって、少なくとも一つまたは複数のアンテナ（図示せず）を利用して、移動通信を通してモバイル装置１００が外部装置と接続されるようにする。移動通信モジュール１２０は、モバイル装置１００に入力される電話番号を有する携帯電話（図示せず）、スマートフォン（図示せず）、タブレットＰＣまたは他の装置（図示せず）と音声通話、画像通話、文字メッセージまたはマルチメディアメッセージのための無線信号を送受信する。
【００２３】
サブ通信モジュール１３０は、無線ＬＡＮモジュール１３１と近距離通信モジュール１３２のうち少なくとも一つを含むことができる。例えば、無線ＬＡＮモジュール１３１だけを含んだり、近距離通信モジュール１３２だけを含んだり、無線ＬＡＮモジュール１３１と近距離通信モジュール１３２の両方を含むことができる。
【００２４】
無線ＬＡＮモジュール１３１は、制御部１１０の制御によって無線ＡＰ（図示せず）が設置された場所でインターネットに接続されることができる。無線ＬＡＮモジュール１３１は、米国電気電子学会の無線ＬＡＮ規格（８０２．１１ｘ）をサポートできる。近距離通信モジュール１３２は、制御部１１０の制御によってモバイル装置１００と画像形成装置（図示せず）との間において無線で近距離通信をすることができる。近距離通信方式はブルートゥース（登録商標）、赤外線通信などが含まれることがきる。
【００２５】
モバイル装置１００は、性能によって、移動通信モジュール１２０、無線ＬＡＮモジュール１３１、及び近距離通信モジュール１３２のうち少なくとも一つを含むことができる。例えば、モバイル装置１００は、性能によって移動通信モジュール１２０、無線ＬＡＮモジュール１３１、及び近距離通信モジュール１３２の組合せを含むことができる。
【００２６】
マルチメディアモジュール１４０は、放送通信モジュール１４１、オーディオ再生モジュール１４２またはビデオ再生モジュール１４３を含むことができる。放送通信モジュール１４１は制御部１１０の制御によって放送通信アンテナ（図示せず）を通して、放送局から送出される放送信号（例えば、ＴＶ放送信号、ラジオ放送信号またはデータ放送信号）及び放送付加情報（例えば、ＥＰＳまたはＥＳＧ）を受信することができる。オーディオ再生モジュール１４２は、制御部１１０の制御によって記憶または受信されるデジタルオーディオファイル（例えば、ファイル拡張子がｍｐ３、ｗｍａ、ｏｇｇまたはｗａｖであるファイル）を再生することができる。ビデオ再生モジュール１４３は、制御部１１０の制御によって記憶または受信されるデジタルビデオファイル（例えば、ファイル拡張子がｍｐｅｇ、ｍｐｇ、ｍｐ４、ａｖｉ、ｍｏｖ、またはｍｋｖであるファイル）を再生することができる。ビデオ再生モジュール１４３はデジタルオーディオファイルを再生することができる。
【００２７】
マルチメディアモジュール１４０は、放送通信モジュール１４１を除き、オーディオ再生モジュール１４２とビデオ再生モジュール１４３を含むことができる。また、マルチメディアモジュール１４０のオーディオ再生モジュール１４２またはビデオ再生モジュール１４３は、制御部１００に含まれることができる。
【００２８】
カメラモジュール１５０は、制御部１１０の制御によってスチルイメージまたはビデオを撮影する第１のカメラ１５１及び第２のカメラ１５２のうち少なくとも一つを含むことができる。また、第１のカメラ１５１または第２のカメラ１５２は、撮影に必要な光量を提供する補助光源（例えば、フラッシュ（図示せず））を含むことができる。第１のカメラ１５１は、モバイル装置１００前面に配置され、第２のカメラ１５２は、モバイル装置１００の後面に配置されることができる。他の形態で、第１のカメラ１５１と第２のカメラ１５２は、隣接するように配置され、３次元スチルイメージまたは３次元ビデオを撮影することができる。
【００２９】
ＧＰＳモジュール１５５は、地球の軌道上にある複数のＧＰＳ衛星（図示せず）から電波を受信し、ＧＰＳ衛星（図示せず）からモバイル装置１００までの電波到達時間を利用してモバイル装置１００の位置を算出することができる。ＧＰＳモジュール１５５から算出されるモバイル装置１００の位置は、緯度、経度、高さ、３次元方向のうち少なくとも一つで表現されることができる。
【００３０】
入出力モジュール１６０は、複数のボタン１６１、マイクロホン１６２、スピーカ１６３、オーディオ出力手段１６４、コネクタ１６５、キーパッド１６６、及び振動モータ１６７のうち少なくとも一つを含むことができる。
【００３１】
ボタン１６１は、モバイル装置１００のハウジングの前面、側面または後面に形成されることができ、電源／ロックボタン、ボリュームボタン、メニューボタン、ホームボタン、及び戻るボタンのうち少なくとも一つを含むことができる。
【００３２】
マイクロホン１６２は、制御部１１０の制御によって音声またはサウンドを受信して、電気的な信号を生成する。マイクロホン１６２は、音声通話サービスのためにユーザの音声を受信することができる。
【００３３】
スピーカ１６３は、制御部１１０の制御によって移動通信モジュール１２０、サブ通信モジュール１３０、マルチメディアモジュール１４０またはカメラモジュール１５０の多様な信号（例えば、無線信号、放送信号、デジタルオーディオファイル、デジタルビデオファイルまたは写真撮影等）に対応するサウンドをモバイル装置１００の外部に出力することができる。スピーカ１６３は、モバイル装置１００が遂行する機能に対応するサウンド（例えば、電話通話に対応するボタン操作音、または通話連結音）を出力することができる。スピーカ１６３は、モバイル装置１００のハウジングの適切な位置または複数の位置に一つまたは複数で形成されることができる。
【００３４】
オーディオ出力手段（Receiver、受話器）１６４は、制御部１１０の制御によって通信によるオーディオデータ信号を再生させてモバイル装置１００外部に出力することができる。オーディオ出力手段１６４は、モバイル装置１００のハウジングの適切な位置または複数の位置に一つまたは複数で形成されることができる。
【００３５】
コネクタ１６５は、モバイル装置１００と外部装置（図示せず）または電源ソース（図示せず）を接続するためのインターフェースとして利用されることができる。制御部１１０の制御によってコネクタ１６５に接続された有線ケーブルを通して、モバイル装置１００の記憶部１７５に記憶されたデータを外部装置（図示せず）に伝送したりまたは外部装置（図示せず）からデータを受信することができる。コネクタ１６５に接続された有線ケーブルを通して電源ソース（図示せず）から電源が入力されたりバッテリ（図示せず）を充電することができる。
【００３６】
キーパッド１６６は、モバイル装置１００の制御のためにユーザからキー入力を受信することができる。キーパッド１６６は、モバイル装置１００に形成される物理的なキーパッド（図示せず）または表示部１９０に表示される仮想のキーパッド（図示せず）を含む。モバイル装置１００に形成される物理的なキーパッド（図示せず）は、モバイル装置１００の性能または構造によって除外されることができる。
【００３７】
振動モータ１６７は、制御部１１０の制御によって電気的信号を機械的振動に変換することができる。例えば、振動モードにおけるモバイル装置１００は、他の装置（図示せず）から音声通話が受信される場合、振動モータ１６７が動作する。振動モータ１６７は、モバイル装置１００のハウジング内に一つまたは複数で形成されることができる。振動モータ１６７は、表示部１９０上をタッチするユーザのタッチ動作及び表示部１９０上におけるタッチの連続的な動きに応答して動作する。
【００３８】
センサモジュール１７０は、モバイル装置１００の状態を検出する少なくとも一つのセンサを含む。例えば、センサモジュール１７０は、ユーザがモバイル装置１００に接近するか否かを検出する近接センサ、モバイル装置１００周辺の光量を検出する照度センサ（図示せず）、またはモバイル装置１００の動作（例えば、モバイル装置１００の回転、モバイル装置１００に加えられる加速度または振動）を検出するモーションセンサ（図示せず）を含むことができる。少なくとも一つのセンサは、状態を検出し、検出に対応する信号を生成して、制御部１１０に伝送することができる。センサモジュール１７０のセンサは、モバイル装置１００の性能によって追加または削除されることができる。
【００３９】
記憶部１７５は、制御部１１０の制御によって移動通信モジュール１２０、サブ通信モジュール１３０、マルチメディアモジュール１４０、カメラモジュール１５０、ＧＰＳモジュール１５５、入出力モジュール１６０、センサモジュール１７０、表示部１９０の動作に対応するように入出力される信号またはデータを記憶することができる。記憶部１７５は、モバイル装置１００または制御部１１０の制御のための制御プログラム及びアプリケーションを記憶することができる。
【００４０】
「記憶部」という用語は、記憶部１７５、制御部１１０内のＲＯＭ１１２、ＲＡＭ１１３またはモバイル装置１００に装着されるメモリカード（図示せず）（例えば、ＳＤカード、メモリスティック）を含む。記憶部は、非揮発性メモリ、揮発性メモリ、ハードディスクドライブ（ＨＤＤ）またはソリッドステートドライブ（ＳＳＤ）を含むことができる。
【００４１】
電源供給部１８０は、制御部１１０の制御によってモバイル装置１００のハウジングに配置される一つまたは複数のバッテリ（図示せず）に電源を供給することができる。一つまたは複数のバッテリ（図示せず）は、モバイル装置１００に電源を供給する。また、電源供給部１８０は、コネクタ１６５と接続された有線ケーブルを通して外部の電源ソース（図示せず）から入力される電源をモバイル装置１００に供給することができる。
【００４２】
表示部１９０は、制御部１１０の制御によって提供されるモバイル装置の画面を表示することができる。表示部１９０は、タッチスクリーンを含むことができるが、タッチスクリーンは、ユーザに多様なサービス（例えば、通話、データ伝送、放送、写真撮影）に対応するユーザインターフェースを提供することができる。タッチスクリーンは、ユーザインターフェースに入力される少なくとも一つのタッチに対応するアナログ信号を制御部１１０に伝送することができる。タッチスクリーンは、ユーザの身体（例えば、親指を含む指）またはタッチ可能な入力手段（例えば、スタイラスペン）を通して、少なくとも一つのタッチを受信することができる。また、タッチスクリーンは、少なくとも一つのタッチのうちで、一つのタッチの連続的な動きを受信することができる。タッチスクリーンは、入力されるタッチの連続的な動きに対応するアナログ信号を制御部１１０に伝送することができる。
【００４３】
本発明で、タッチは、タッチスクリーンとユーザの身体またはタッチ可能な入力手段との接触に限定されず、非接触（例えば、タッチスクリーンとユーザの身体またはタッチ可能な入力手段との検出可能な間隔が所定間隔以下）を含むことができる。タッチスクリーンで検出可能な間隔は、モバイル装置１００の性能または構造によって変更されることができる。タッチスクリーンは、例えば、抵抗方式、靜電容量方式、赤外線方式または超音波方式で具現されることができる。
【００４４】
制御部１１０は、タッチスクリーンから受信されたアナログ信号をデジタル信号（例えば、ＸとＹ座標）に変換することができる。制御部１１０は、デジタル信号を利用して表示部１９０を制御することができる。例えば、制御部１１０は、タッチに応答して表示部１９０に表示された短縮アイコンが選択されるようにしたりまたは短縮アイコンを実行することができる。
【００４５】
図２は、本発明の一実施形態によるモバイル装置の正面図である。
【００４６】
図２を参照すれば、モバイル装置１００は、少なくとも一つのオーディオ出力手段１６４を含むことができる。オーディオ出力手段１６４は、オーディオデータ信号を再生させてモバイル装置１００外部に出力することによって、ユーザに受話音を提供することができる。この場合、オーディオ出力手段１６４は、複数個であり得るので、第１のオーディオ出力手段２００、第２のオーディオ出力手段２０２、第３のオーディオ出力手段などがモバイル装置１００に含まれることができる。ただし、図２には、二つのオーディオ出力手段１６４が第１のオーディオ出力手段２００、第２のオーディオ出力手段２０２で形成された例が示されているが、本発明はこれに限定されない。そして、上記オーディオ出力手段は、ダイナミックレシーバ、バランスドアーマチュアなどの多様なレシーバで形成されることができる。この場合、上記レシーバは、多様な種類の既存のレシーバが使用されることができ、その種類は本発明に対する技術分野の当業者にとって容易に把握されることができる。この場合、上記ダイナミックレシーバは、振動板に取り付けられたコイルに電流を流して、永久磁石を利用して上記振動板を振動することでオーディオデータ信号を再生するレシーバを意味する。上記ダイナミックレシーバは、永久磁石により発生される磁場内で上下に動く中央コイルに接続された振動板が使用されて、上記振動板の振動によって電気信号が音響信号に変換されるトランスデューサの一種である。上記ダイナミックレシーバは、低域、中域の再生周波数帯域を効果的に再生させる特性を有する。そして、バランスドアーマチュアは、コイルが巻いているアーマチュアに電気信号が入って永久磁石間で動くことにより、連動された振動板が振動されることで、受話音が再生されるトランスデューサの一種である。上記バランスドアーマチュアは、高域の再生周波数帯域を効果的に再生させる特性を有する。従って、本発明の実施形態によれば、低音域帯域を再生させるダイナミックレシーバと高音域帯域を再生させるバランスドアーマチュアを同時に再生させて低音域帯域及び高音域帯域の両方の再生周波数帯域で再生させることで、全ての再生周波数帯域で効果的にユーザに受話音を提供することができる利点がある。
【００４７】
図３は、本発明の一実施形態によるモバイル装置の内部ブロック図である。
【００４８】
図３を参照すれば、本発明の第一実施形態によるモバイル装置は、オーディオデータ信号入力部３００、オーディオ信号処理部３１０、少なくとも一つのオーディオ出力手段２００、バランスドアーマチュア２０２を含むことができる。上記少なくとも一つのオーディオ出力手段は、ダイナミックレシーバ、バランスドアーマチュアなどの多様なレシーバで形成されることができる。従って、本発明の一実施形態によれば、少なくとも一つのオーディオ出力手段２００と上記オーディオ出力手段の種類のうちの一つであるバランスドアーマチュア２０２を通してオーディオデータ信号が出力されて、複数個のオーディオ出力手段によって上記オーディオデータ信号が出力されることができる。この場合、バランスドアーマチュア２０２は、上記少なくとも一つのオーディオ出力手段２００近くに位置されることができる。そして、上記少なくとも一つのオーディオ出力手段２００は複数個であることができ、第１のオーディオ出力手段、第２のオーディオ出力手段、第３のオーディオ出力手段、第Ｎのオーディオ出力手段を含むことができるが、下記では、第１のオーディオ出力手段に基づいて説明する。そしてオーディオデータ信号入力部３００とオーディオ信号処理部３１０は、制御部１１０内に含まれることができ、別途に形成されて制御部１１０により制御されることもできる。
【００４９】
オーディオデータ信号入力部３００は、モバイル装置１００に含まれ、制御部１１０により制御され、オーディオデータ信号を受信する。上記オーディオデータ信号入力部は、移動通信データ受信部３０２を含むことができる。この場合、移動通信データ受信部３１２は、移動通信網の音声通話サービスを利用して、上記オーディオデータ信号を受信することができる。そして、上記オーディオデータ信号は、音声周波数帯域に基づいて生成される。上記オーディオデータ信号とは、モバイル装置１００のオーディオ出力手段で再生されて、モバイル装置１００外部に出力されてユーザに提供される音響に対する情報を含む電気信号を意味する。例えば、上記オーディオデータ信号は、モバイル装置１００の通信モジュール１２０乃至１３０を利用した移動通信データ受信部３０２を通して受信された外部モバイル装置の他のユーザの音声乃至音響に対する情報を含む電気信号であることができる。この場合、上記外部モバイル装置の他のユーザの音声乃至音響信号が上記外部モバイル装置内部で電気信号に変換され、上記変換された電気信号が上記通信モジュールを利用した移動通信データ受信部３０２を通してモバイル装置１００に受信される。このように、ユーザのモバイル装置１００に受信された電気信号は、上記モバイル装置の外部に出力されてユーザに提供されるオーディオデータ信号になることができる。
【００５０】
第１のオーディオ出力手段２００とバランスドアーマチュア２０２は、下記で説明されるオーディオ信号処理部３１０からオーディオデータ信号を受信して再生することで、モバイル装置外部に上記オーディオデータ信号を出力してユーザに提供する。そして、第１のオーディオ出力手段２００は、上記オーディオデータ信号の第１の再生周波数帯域を再生させることができ、バランスドアーマチュア２０２は、上記オーディオデータ信号の第２の再生周波数帯域を再生させることができる。上記第１の再生周波数帯域は、上記第２の再生周波数帯域と異なる帯域であり得るが、重なる帯域が存在することもできる。図４は、本発明の一実施形態による一つのオーディオ出力手段を含むモバイル装置の再生周波数帯域を示す図であり、図５は、本発明の一実施形態によるバランスドアーマチュアを含むモバイル装置の再生周波数帯域を示す図である。図４Ａを参照すれば、一つのオーディオ出力手段４０２を含むモバイル装置４００が示されているが、図４Ａのモバイル装置４００では一つのオーディオ出力手段が再生される。そして、図４Ｂを参照すれば、一つのオーディオ出力手段４０２で再生されるオーディオデータ信号の周波数スペクトラム４１２が示されている。図４ＢのグラフィックのＸ軸は周波数であり、Ｙ軸は音圧（Sound Pressure Level：ＳＰＬ）である。したがって、図４Ｂのグラフィックは、上記一つのオーディオ出力手段４０２の周波数による音圧が示されたスペクトラム４１２を意味する。したがって、上記一のオーディオ出力手段４０２が再生させることができる帯域は、図４Ｂに示された再生周波数帯域４２０と同一である。次に、図５Ａを参照すれば、本発明の第一実施形態であるバランスドアーマチュアを含むモバイル装置１００が示されている。図５Ｂを参照すれば、第１のオーディオ出力手段とバランスドアーマチュア２００、２０２で再生されるオーディオデータ信号の周波数スペクトラム２１０、２１２が示されている。図５ＢのグラフィックのＸ軸は周波数であり、Ｙ軸は音圧である。したがって、図５Ｂのグラフィックは、上記第１のオーディオ出力手段とバランスドアーマチュアの周波数による音圧が示されたスペクトラム２１０、２１２を意味する。図５Ｂには、上記第１のオーディオ出力手段で再生される第１の再生周波数帯域５１０と上記バランスドアーマチュアで再生される第２の再生周波数帯域５１２が示されている。従って、本発明の一実施形態によるモバイル装置では、第１のオーディオ出力手段２００の周波数スペクトラム２１０とバランスドアーマチュア２０２の周波数スペクトラム２１２が組み合わせられて周波数スペクトラム２１４が生成される。したがって、上記組み合わせられた周波数スペクトラム２１４によれば、本発明の一実施形態による再生周波数帯域５００は、図４Ｂの一つのオーディオ出力手段を含むモバイル装置の再生周波数帯域４２０より広くなる。従って、本発明の一実施形態によれば、複数のオーディオ出力手段を使用することによってオーディオデータ信号が再生される再生周波数帯域が広くなる利点がある。
【００５１】
オーディオ信号処理部３１０は、モバイル装置１００に含まれ、制御部１１０により制御され、少なくとも一つのフィルタを使用して第１のオーディオ出力手段２００の上記第１の再生周波数帯域とバランスドアーマチュア２０２の第２の再生周波数帯域を調整する。この場合、上記少なくとも一つのフィルタは、周波数によるフィルタリングを行うことができる。図６は、本発明の一実施形態によるオーディオ信号処理部が第１のオーディオ出力手段の第１の再生周波数帯域を調整する内容を示す図である。そして、図７は、本発明の一実施形態によるオーディオ信号処理部がバランスドアーマチュアの第２の再生周波数帯域を調整する内容を示す図である。まず図６を参照すれば、図６Ａでは、第１のオーディオ出力手段２００のオーディオデータ信号の周波数による音圧（ＳＰＬ）を示すスペクトラム６１０が示されている。図６Ｂでは、オーディオ信号処理部３１０で使用される低域フィルタ６２０に対する周波数応答グラフィックが示されている。この場合、オーディオ信号処理部３１０は、図６Ｂに示された低域フィルタを使用して第１のオーディオ出力手段２００で再生される高音域帯域をカッティングし、低音域帯域を記憶するフィルタリングを遂行して、第１のオーディオ出力手段の第１の再生周波数帯域を調整することができる。従って、図６Ｃには、低域フィルタ６２０によりフィルタリングされたオーディオデータ信号に対する周波数による音圧を示すスペクトラム６３０が示されている。この場合、フィルタリング以前の図６Ａの再生周波数帯域６４０とフィルタリング後の図６Ｃの再生周波数帯域６５０とを比較すると、高音域帯域がカッティングされ、低音域帯域が記憶されたことが分かる。次に、図７を参照すれば、図７Ａでは、バランスドアーマチュア２０２のオーディオデータ信号の周波数による音圧（ＳＰＬ）を示すスペクトラム７１０が示されている。図７Ｂでは、オーディオ信号処理部３１０で使われる高域フィルタ７２０に対する周波数応答グラフィックが示されている。この場合、オーディオ信号処理部３１０は、図７Ｂのように高域フィルタを使用してバランスドアーマチュア２０２で再生される低音域帯域をカッティングし、高音域帯域を記憶するフィルタリングを遂行して、バランスドアーマチュアの第２の再生周波数帯域を調整することができる。従って、図７Ｃには、高域フィルタ７２０によりフィルタリングされたオーディオデータ信号に対する周波数による音圧を示すスペクトラム７３０が示されている。この場合、フィルタリング以前の図７Ａの再生周波数帯域７４０とフィルタリング後の図７Ｃの再生周波数帯域７５０とを比較すると、低音域帯域がカッティングされ、高音域帯域が記憶されたことが分かる。最後に図８を参照すれば、図８にはオーディオ信号処理部によって再生周波数帯域が調整された第１の再生周波数帯域を再生させる第１のオーディオ出力手段の周波数スペクトラム６３０と第２の再生周波数帯域を再生させるバランスドアーマチュアの周波数スペクトラム７３０が組み合わせられた周波数スペクトラム８００が示されている。従って、本発明の一実施形態によって上記第１のオーディオ出力手段と上記バランスドアーマチュアによりオーディオデータ信号が再生されると、図８のように広い再生周波数帯域でディップ（dip）無しにオーディオデータ信号が再生することができる。したがって、本発明の一実施形態によるバランスドアーマチュアを含むモバイル装置は、オーディオ信号処理部を通して、複数のオーディオ出力手段に対する各々の再生周波数帯域を調整して、オーディオデータ信号を再生させることができる利点がある。
【００５２】
図９は、本発明の他の実施形態によるモバイル装置の内部ブロック図である。
【００５３】
図９を参照すれば、本発明の他の実施形態によるモバイル装置は、オーディオデータ信号入力部３００、オーディオ信号処理部３１０、少なくとも一つのオーディオ出力手段２００、及びバランスドアーマチュア２０２以外にクロスオーバ周波数変更部９００をさらに含むことができる。クロスオーバ周波数変更部９００は、制御部１１０内に含まれることができ、別途に形成されて制御部１１０により制御されることもできる。ここで、オーディオデータ信号入力部３００、オーディオ信号処理部３１０、オーディオ出力手段２００、及びバランスドアーマチュア２０２は、図３乃至図８における説明と同一であるので、その説明を省略する。
【００５４】
クロスオーバ周波数変更部９００は、上記オーディオ信号処理部で上記第１のオーディオ出力手段の再生周波数帯域調整に使用される第１のフィルタの周波数応答と、上記バランスドアーマチュアの再生周波数帯域調整に使用される第２のフィルタの周波数応答が交差するクロスオーバ周波数を変更する。図１０は、本発明の一実施形態によるクロスオーバ周波数が示されている図である。図１０Ａには、上記オーディオ信号処理部で上記第１のオーディオ出力手段の再生周波数帯域調整に使用される第１のフィルタの周波数応答１０１０と上記バランスドアーマチュアの再生周波数帯域調整に使用される第２のフィルタの周波数応答１０２０とが示されている。そして第１のフィルタの周波数応答１０１０と第２のフィルタの周波数応答１０２０とが交差する地点の周波数がクロスオーバ周波数１０３０である。クロスオーバ周波数変更部９００は、上記クロスオーバ周波数を変更させて上記クロスオーバ周波数を増加させたり減少させたりすることができる。図１０Ｂには、上記クロスオーバ周波数が増加された例が示されている。クロスオーバ周波数１０３２が増加されることにより、上記第１のオーディオ出力手段の再生周波数帯域調整に使用される第１のフィルタの周波数応答１０１２は、図１０Ａに比べて適用範囲が広くなり、反対に、上記バランスドアーマチュアの再生周波数帯域調整に使用される第２のフィルタの周波数応答１０２２は、図１０Ａに比べて適用範囲が狭くなる。したがって、クロスオーバ周波数が増加するようになれば、例えば、図１０Ｂの場合には、第１のフィルタである低域フィルタの適用範囲が広くなり、反対に第２のフィルタである高域フィルタの適用範囲が狭くなって、クロスオーバ周波数の調整前の図１０Ａに比べて、相対的に、低域フィルタの適用が大きくなって低音域帯域が強調されてフィルタリングされるので、第１のオーディオ出力手段及びバランスドアーマチュアで低音域帯域が強調され再生されてユーザにオーディオデータ信号が出力されることができる。反対に、図１０Ｃには、上記クロスオーバ周波数が減少された例が示されている。クロスオーバ周波数１０３４が減少すると、それに従って、上記第１のオーディオ出力手段の再生周波数帯域調整に使用される第１のフィルタの周波数応答１０１４は、図１０Ａに比べて適用範囲が狭くなり、反対に、上記バランスドアーマチュアの再生周波数帯域調整に使用される第２のフィルタの周波数応答１０２４は、図１０Ａに比べて適用範囲が広くなる。したがって、クロスオーバ周波数が減少するようになれば、例えば、図１０Ｃの場合には、第１のフィルタである低域フィルタの適用範囲が狭くなり、反対に第２のフィルタである高域フィルタの適用範囲が広くなるので、クロスオーバ周波数の調整前の図１０Ａに比べて相対的に高域フィルタの適用が大きくなって高音域帯域が強調されてフィルタリングされる。従って、第１のオーディオ出力手段及びバランスドアーマチュアで高音域帯域が強調されて再生されて、ユーザにオーディオデータ信号が出力されることができる。従って、本発明の他の実施形態によれば、クロスオーバ周波数の変更を通して強調される音域帯域を変更して、レシーバを再生させることができる利点がある。そして、上記クロスオーバ周波数の変更は、クロスオーバ周波数変更部９００で決定されることもでき、ユーザから入力を受信して上記クロスオーバ周波数の変更を決定することもできる。
【００５５】
図１１は、本発明の他の実施形態によるモバイル装置の内部ブロック図である。
【００５６】
図１１を参照すれば、本発明の他の実施形態によるモバイル装置は、オーディオデータ信号入力部３００、オーディオ信号処理部３１０、少なくとも一つのオーディオ出力手段２００、及びバランスドアーマチュア２０２以外に、オーディオ出力手段使用判断部１１００及び再生周波数帯域調整入力部１１１０をさらに含むことができる。オーディオ出力手段使用判断部１１００と再生周波数帯域調整入力部１１１０は、各々制御部１１０内に含まれることができ、別途に形成されて制御部１１０により制御されることもできる。ここで、オーディオデータ信号入力部３００、オーディオ信号処理部３１０、少なくとも一つのオーディオ出力手段２００、及びバランスドアーマチュア２０２は、図３乃至図８における説明と同一であるので、その説明を省略する。
【００５７】
オーディオ出力手段使用判断部１１００は、上記第１のオーディオ出力手段と上記バランスドアーマチュアに対して使用するか否かを決定する。オーディオ出力手段使用判断部１１００は、上記第１のオーディオ出力手段と上記バランスドアーマチュアの各々に対して使用するか否かを決定することができる。したがって、オーディオ出力手段使用判断部１１００が上記第１のオーディオ出力手段を使用すると決定し、上記バランスドアーマチュアは使用しないと決定すると、上記第１のオーディオ出力手段のみでオーディオデータ信号が再生されてユーザに提供されることができる。各々のオーディオ出力手段に対する使用の決定は、オーディオ出力手段使用判断部１１００で決定されることもできるが、ユーザから入力を受信して使用するか否かを決定することもできる。
【００５８】
再生周波数帯域調整入力部１１１０は、上記第１のオーディオ出力手段の上記第１の再生周波数帯域と上記バランスドアーマチュアの第２の再生周波数帯域を調整するための入力を受ける。再生周波数帯域調整入力部１１１０を通してユーザから上記第１のオーディオ出力手段の上記第１の再生周波数帯域と上記バランスドアーマチュアの第２の再生周波数帯域を調整するための入力を受けることができる。この場合、再生周波数帯域調整入力部１１１０は、モバイル装置１００の入力モジュール１６０に含まれたボタン１６１、キーパッド１６６、またはタッチスクリーンなどを利用してユーザから上記第１のオーディオ出力手段の上記第１の再生周波数帯域と上記バランスドアーマチュアの第２の再生周波数帯域を調整するための入力を受けることができる。
【００５９】
本発明の他の実施形態によるバランスドアーマチュアを含むモバイル装置は、ワイドバンド再生周波数帯域がサポートされるワイドバンド音声通話サービスが上記モバイル装置において利用可能であるか否かを判断するワイドバンド判断部をさらに含むことができる。
【００６０】
ワイドバンド判断部は、ワイドバンド再生周波数帯域がサポートされるワイドバンド音声通話サービスが上記モバイル装置において利用可能であるか否かを判断する。ワイドバンド再生周波数帯域は、ナローバンド再生周波数帯域より広いオーディオデータ信号再生周波数帯域を有する。上記ワイドバンド再生周波数帯域は、５０乃至７０００Ｈｚであり、上記ナローバンド再生周波数帯域は、３００乃至３４００Ｈｚであり得る。そして、上記ワイドバンド再生周波数帯域は、上記モバイル装置に含まれた通信モジュール１２０乃至１３２またはＧＰＳモジュール１５５を利用して、基地局と通信するか、またはキャリアを判断することで、オーディオデータ信号に対する音声チャンネル情報がワイドバンド再生周波数帯域であるか否かを判断することができる。
【００６１】
制御部１１０は、上記ワイドバンド判断部を制御して、上記ワイドバンド判断部から、ワイドバンド再生周波数帯域がサポートされるワイドバンド音声通話サービスが上記モバイル装置において利用可能であることを示す情報を受信できる。例えば、第１の再生周波数帯域を再生させる第１のオーディオ出力手段は、低音域帯域を再生させるダイナミックレシーバであり、第２の再生周波数帯域を再生させるバランスドアーマチュアは高音域帯域を再生させる場合を説明する。これによって、制御部１１０は、図１１で説明されたオーディオ出力手段使用判断部１１００を制御して、上記第１のオーディオ出力手段及びバランスドアーマチュアの両方を用いて制御することができる。なぜなら、ワイドバンド再生周波数帯域では、低音域帯域だけでなく高音域帯域に対する再生がサポートされるので、上記第１のオーディオ出力手段及びバランスドアーマチュアの両方を使用する必要があるからである。
【００６２】
そして、制御部１１０は、オーディオ信号処理部３１０を制御することで、第１のオーディオ出力手段であるダイナミックレシーバに対しては、低域フィルタを使用して第１の再生周波数帯域を調整し、バランスドアーマチュアに対しては、高域フィルタを使用して第２の再生周波数帯域を調整することができる。この場合、第１のオーディオ出力手段に対する周波数による音圧を示すスペクトラム１２００とバランスドアーマチュアに対する周波数による音圧を示すスペクトラム１２０２が図１２Ａに示されている。そして、上記第１のオーディオ出力手段に使用される低域フィルタに対する周波数応答１２１０と上記バランスドアーマチュアに使用される高域フィルタに対する周波数応答１２２０が図１２Ｂに示されている。ここで、上記第１のオーディオ出力手段で使用される低域フィルタに対する周波数応答１２１０と上記バランスドアーマチュアに使用される高域フィルタに対する周波数応答１２２０が交差する地点の周波数がクロスオーバ周波数１２３０として示されている。そして、調整された第１の再生周波数帯域に対する周波数による音圧を示すスペクトラム１２４０、調整された第２の再生周波数帯域に対する周波数による音圧を示すスペクトラム１２５０、及び上記第１の再生周波数帯域と上記第２の再生周波数帯域が組み合わせられた周波数による音圧を示すスペクトラム１２６０が図１２Ｃに示されている。したがって、図１２Ａ乃至Ｃを参照すれば、制御部１１０は、ワイドバンド再生周波数帯域がサポートされるワイドバンド音声通話サービスが上記モバイル装置で利用可能である場合には、オーディオ信号処理部３１０を制御して、第１のオーディオ出力手段及びバランスドアーマチュアに対して再生周波数帯域を調整することによって、図１２Ｃに示されたように低音域帯域及び高音域帯域の両方に対してオーディオデータ信号を再生してユーザに提供できる。
【００６３】
しかし、制御部１１０は、上記ワイドバンド判断部を制御して、上記ワイドバンド判断部からワイドバンド再生周波数帯域がサポートされるワイドバンド音声通話サービスが上記モバイル装置で利用できないことを示す情報を受信することもある。この場合、制御部１１０は、第１のオーディオ出力手段、またはバランスドアーマチュアのうちいずれか一つで受信したオーディオデータ信号の全体再生周波数帯域を出力するように制御することができる。例えば、上記の場合、制御部１１０は、オーディオ出力手段使用判断部１１００から第１のオーディオ出力手段は使用し、バランスドアーマチュアは使用しないことを示す情報を受信することができる。なぜなら、ワイドバンド再生周波数帯域がサポートされない地域では、ナローバンド再生周波数帯域に該当し、上記ナローバンド再生周波数帯域では相対的に高音域帯域が狭くサポートされるので、レシーバ使用判断部１１００は、高音域帯域に該当するバランスドアーマチュアであるバランスドアーマチュアを使用しないことを示す情報を制御部１１０に送信できるからである。
【００６４】
しかし、制御部１１０は、上記ワイドバンド判断部を制御して上記ワイドバンド判断部からワイドバンド再生周波数帯域がサポートされない地域に上記モバイル装置が位置することを示す情報を受信した場合にも、レシーバ使用判断部１１００からバランスドアーマチュアを使用することを示す情報を受信することができる。なぜなら、上記モバイル装置がナローバンド再生周波数帯域に存在する場合にも高音域帯域が一定領域サポートされるからである。この場合、制御部１１０は、クロスオーバ周波数変更部９００を制御して、上記クロスオーバ周波数を減少させるように制御することができる。上記クロスオーバ周波数を減少させると、相対的に高音域帯域に対する再生が改善する。なぜなら、ナローバンド再生周波数帯域では高音域帯域に対するサポートが狭いからである。したがって、制御部１１０は、上記クロスオーバ周波数を減少させて高音域帯域に対する再生を向上させることができる。図１３には、ナローバンド再生周波数帯域でダイナミックレシーバとバランスドアーマチュアが同時に使用される場合を示す。図１３を参照すれば、第１のオーディオ出力手段に対する周波数による音圧を示すスペクトラム１３００とバランスドアーマチュアに対する周波数による音圧を示すスペクトラム１３０２が図１３Ａに示されている。そして、上記第１のオーディオ出力手段に使用される低域フィルタに対する周波数応答１３１０と上記バランスドアーマチュアに使用される高域フィルタに対する周波数応答１３２０が図１３Ｂに示されている。ここで、上記第１のオーディオ出力手段に使用される低域フィルタに対する周波数応答１３１０と上記バランスドアーマチュアに使用される高域フィルタに対する周波数応答１３２０が交差する地点の周波数がクロスオーバ周波数１３３０として示されている。この場合、クロスオーバ周波数１３３０は、図１２Ｂのクロスオーバ周波数１２３０に比べて減少している。これは、制御部１１０がクロスオーバ周波数変更部９００を制御して上記クロスオーバ周波数を減少させることで、高音域帯域に対する再生を向上させた結果である。そして、調整された第１の再生周波数帯域に対する周波数による音圧を示すスペクトラム１３４０、調整された第２の再生周波数帯域に対する周波数による音圧を示すスペクトラム１３５０、及び上記第１の再生周波数帯域と上記第２の再生周波数帯域が組み合わせられた周波数による音圧を示すスペクトラム１３６０が図１３Ｃに示されている。したがって、図１２Ｃに示したように、本発明の他の実施形態によれば、ナローバンド再生領域にモバイル装置が位置する場合にも、ダイナミックレシーバだけでなくバランスドアーマチュアも再生させて高音域帯域が十分に再生されるようにフィルタリングして、一つのダイナミックレシーバのみが再生された周波数による音圧スペクトラム１３７０に比べて、高音域帯域でも豊富なオーディオデータ信号の再生を出力することができる。
【００６５】
本発明の他の実施形態によるモバイル装置は、上記モバイル装置の周辺環境に対する騷音を判断する周辺環境騷音判断部をさらに含むことができる。
【００６６】
周辺環境騷音判断部は、モバイル装置の周辺環境に対する騷音を判断する。上記周辺環境騷音判断部は、モバイル装置１００のセンサモジュール１７０または入出力モジュール１６０に含まれたマイク１６２などを使用して、周辺環境の騷音を判断することができる。そして周辺環境騷音判断部は、上記騷音が高音域帯域に属するか、または低音域帯域に属するかを判断することができる。したがって、周辺環境騷音判断部で上記モバイル装置の周辺環境騷音が予め決められた一定レベル以上である場合には、制御部１１０がクロスオーバ周波数変更部９００を制御してクロスオーバ周波数を変更できる。例えば、第１のオーディオ出力手段であるダイナミックレシーバとバランスドアーマチュアが使われる場合を説明する。この場合、上記騷音が上記周辺環境騷音判断部で低音域帯域に属すると判断された場合には、制御部１１０は、クロスオーバ周波数を減少させて、高音域帯域に対する再生が効果的なバランスドアーマチュアを相対的に十分に再生させることができる。反対に、上記騷音が上記周辺環境騷音判断部で高音域帯域に属すると判断された場合には、制御部１１０は、クロスオーバ周波数を増加させて、低音域帯域に対する再生が効果的な第１のオーディオ出力手段であるダイナミックレシーバを相対的に十分に再生させることもできる。併せて、上記騷音が低音域帯域に属する場合に、制御部１１０は、オーディオ信号処理部３１０を制御して、第１のオーディオ出力手段であるダイナミックレシーバで使用される第１のフィルタをバンドパスフィルタとして適用することもできる。したがって、図１４に示したように、本発明の他の実施形態によれば、最低音域帯域をカッティングする周波数応答１４００を有するバンドパスフィルタを第１のオーディオ出力手段であるダイナミックレシーバで使用し、バランスドアーマチュアに高域フィルタを使用して、低音域帯域の騷音が発生する周辺から効果的にオーディオデータ信号を再生させることができる。
【００６７】
本発明の他の実施形態によるモバイル装置は、上記モバイル装置が位置する国家または地域を判断する地域判断部をさらに含むことができる。
【００６８】
地域判断部は、上記モバイル装置が位置する国家を判断する。上記地域判断部は、上記モバイル装置の通信モジュール１２０乃至１３２を利用して、上記モバイル装置が接続された基地局、またはキャリアに対する情報を分析して、上記モバイル装置が位置する国家または地域を判断することができる。
【００６９】
この場合、制御部１１０は、上記地域判断部からモバイル装置１００が位置した国家や地域に対する情報を受信して、上記クロスオーバ周波数変更部を制御することで、クロスオーバ周波数を変更できる。例えば、第１のオーディオ出力手段であるダイナミックレシーバとバランスドアーマチュアが使われる場合を説明する。この場合、上記地域判断部から上記モバイル装置が米洲地域に位置することを示す情報を制御部１１０が受信した場合には、制御部１１０は、米洲地域のユーザは高音域帯域のオーディオデータ信号を好むという予め決められた基準によって、上記クロスオーバ周波数を減少させてバランスドアーマチュアをより十分に再生させることができる。反対に、上記地域判断部から上記モバイル装置がヨーロッパ地域に位置するという情報を制御部１１０が受信した場合には、制御部１１０は、ヨーロッパ地域のユーザは、低音域帯域のオーディオデータ信号を好むという予め決められた基準によって、上記クロスオーバ周波数を増加させて、第１のオーディオ出力手段であるダイナミックレシーバをより十分に再生させることができる。
【００７０】
本発明の他の実施形態バランスドアーマチュアを含むモバイル装置によれば、上記再生周波数帯域調整入力部からクロスオーバ周波数を変更させる入力を受けて、上記クロスオーバ周波数を変更させることができる。
【００７１】
再生周波数帯域調整入力部は、図１１で説明したように、上記第１のオーディオ出力手段の上記第１の再生周波数帯域と上記バランスドアーマチュアの第２の再生周波数帯域を調整するための入力を受ける。この場合、上記再生周波数帯域調整入力部から、上記第１のオーディオ出力手段の再生周波数帯域調整に使用される第１のフィルタの周波数応答と上記バランスドアーマチュアの再生周波数帯域調整に使用される第２のフィルタの周波数応答が交差するクロスオーバ周波数を変更するための調整が入力されることができる。そして、再生周波数帯域調整入力部は、タッチスクリーンを利用して、ユーザからクロスオーバ周波数を調整するための入力を受信することができる。例えば、第１のオーディオ出力手段であるダイナミックレシーバとバランスドアーマチュアが使われる場合を説明する。
【００７２】
図１５ＡおよびＢは、再生周波数帯域調整が実行される過程を示す。図１５Ａを参照すれば、上記モバイル装置に含まれたタッチスクリーン１９０からユーザが柔らかい声を望む場合は、左側１５１０に、明瞭な声を望む場合は、右側１５２０に向かうタッチの入力を受けることができる。上記の通りに受信したタッチを制御部１１０が検出して、柔らかい声に該当する左側タッチ１５１０が検出された場合には、制御部１１０がクロスオーバ周波数１５３０を図１５Ｂのように増加（１５４５）させて、低音域帯域に該当する低域フィルタの周波数応答１５４０を拡張させることで、第１のオーディオ出力手段に該当するダイナミックレシーバを十分に再生させることができる。反対に、明瞭な声に該当する右側タッチ１５２０が検出された場合には、制御部１１０がクロスオーバ周波数１５３０を図１５Ｂのように減少（１５５５）させて、高音域帯域に該当する高域フィルタの周波数応答１５５０を拡張させることで、バランスドアーマチュアを十分に再生させることができる。従って、本発明の他の実施形態によれば、ユーザから所望の声に対する入力を受けて複数のオーディオ出力手段を使用してユーザの所望のオーディオデータ信号を再生させることができる。例えば、モバイル装置を利用してユーザが通話をしている場合、ユーザは通話相手の音色に合せて所望のオーディオデータ信号を聞くことができ、通話に難しさがある場合にもユーザは音色を調整して所望のオーディオデータ信号を聞くことも出来る。
【００７３】
図１６は、本発明の第一実施形態モバイル装置の制御方法に対するフローチャートである。
【００７４】
図１６を参照すれば、まず、モバイル装置の少なくとも一つのオーディオ出力手段とバランスドアーマチュアで再生されるオーディオデータ信号の入力を受ける（ステップ１６００）。
【００７５】
次に、少なくとも一つのフィルタを使用して、上記モバイル装置のオーディオデータ信号の第１の再生周波数帯域を再生させる第１のオーディオ出力手段の第１の再生周波数帯域と上記モバイル装置のオーディオデータ信号の第２の再生周波数帯域を再生させるバランスドアーマチュアの第２の再生周波数帯域を調整する（ステップ１６１０）。この場合、上記少なくとも一つのフィルタは、周波数によるフィルタリングを行うことができる。例えば、第１のオーディオ出力手段の第１の再生帯域には、低域フィルタを使用して再生周波数帯域を調整し、バランスドアーマチュアの第２の再生帯域には、高域フィルタを使用して再生周波数帯域を調整することができる。この場合、上記第１の再生周波数帯域を再生させる第１のオーディオ出力手段は、低音域帯域を再生させるダイナミックレシーバであり、上記第２の再生周波数帯域を再生させるバランスドアーマチュアは、高音域帯域を再生させるバランスドアーマチュアであり得る。
【００７６】
次に、調整された第１の再生周波数帯域で上記第１のオーディオ出力手段を再生させ、調整された第２の再生周波数帯域で上記バランスドアーマチュアを再生させることで、上記モバイル装置の外部に上記オーディオデータ信号を出力する（ステップ１６２０）。すなわち、調整された第１の再生周波数帯域で上記第１のオーディオ出力手段を再生させ、調整された第２の再生周波数帯域で上記バランスドアーマチュアを再生させることで音響信号を再生することによって、モバイル装置の外部に上記オーディオデータ信号を出力してユーザに提供する。
【００７７】
図１７は、本発明の他の実施形態であるモバイル装置の制御方法に対するフローチャートである。
【００７８】
図１７を参照すれば、まずモバイル装置の少なくとも一つのオーディオ出力手段とバランスドアーマチュアで再生されるオーディオデータ信号の入力を受ける（ステップ１７００）。
【００７９】
次に、第１のオーディオ出力手段の再生周波数帯域調整に使用される第１のフィルタの周波数応答とバランスドアーマチュアの再生周波数帯域調整に使用される第２のフィルタの周波数応答が交差するクロスオーバ周波数を変更する（ステップ１７１０）。上記クロスオーバ周波数は、第１のオーディオ出力手段の再生周波数帯域調整に使用される第１のフィルタの周波数応答とバランスドアーマチュアの再生周波数帯域調整に使用される第２のフィルタの周波数応答が交差する周波数である。したがって、上記クロスオーバ周波数が変更されることによって、第１のフィルタの周波数応答と第２のフィルタの周波数応答が変化するようになる。
【００８０】
次に、少なくとも一つのフィルタを使用して、上記モバイル装置のオーディオデータ信号の第１の再生周波数帯域を再生させる第１のオーディオ出力手段の第１の再生周波数帯域と上記モバイル装置のオーディオデータ信号の第２の再生周波数帯域を再生させるバランスドアーマチュアの第２の再生周波数帯域とを調整する（ステップ１７２０）。ステップ１７１０で変化された第１のフィルタを使用して第１のオーディオ出力手段の第１の再生周波数帯域を調整し、変化された第２のフィルタを使用してバランスドアーマチュアの第２の再生周波数帯域を調整することができる。この場合、上記第１の再生周波数帯域を再生させる第１のオーディオ出力手段は低音域帯域を再生させるダイナミックレシーバであり、上記第２の再生周波数帯域を再生させるオーディオ出力手段は高音域帯域を再生させるバランスドアーマチュアであり得る。
【００８１】
次に、調整された第１の再生周波数帯域で上記第１のオーディオ出力手段を再生させ、調整された第２の再生周波数帯域で上記バランスドアーマチュアを再生させることで、上記モバイル装置の外部に上記オーディオデータ信号を出力する（ステップ１７３０）。すなわち、調整された第１の再生周波数帯域で上記第１のオーディオ出力手段を再生させ、調整された第２の再生周波数帯域で上記バランスドアーマチュアを再生させて音響信号を再生することによって、モバイル装置の外部に上記オーディオデータ信号を出力してユーザに提供する。
【００８２】
図１８は、本発明の他の実施形態であるモバイル装置の制御方法に対するフローチャートである。
【００８３】
図１８を参照すれば、まずモバイル装置の少なくとも一つのオーディオ出力手段とバランスドアーマチュアで再生されるオーディオデータ信号の入力を受ける（ステップ１８００）。
【００８４】
次に、上記第１のオーディオ出力手段と上記バランスドアーマチュアに対して使用するか否かを決定する（ステップ１８１０）。すなわち、上記第１のオーディオ出力手段と上記バランスドアーマチュアの各々に対して使用するか否かを決定することができる。例えば、上記第１のオーディオ出力手段を使用すると決定し、上記バランスドアーマチュアは使用しないと決定すると、上記第１のオーディオ出力手段のみでオーディオデータ信号が再生されてユーザに提供されることができる。この場合、第１の再生周波数帯域を再生させる第１のオーディオ出力手段は低音域帯域を再生させるダイナミックレシーバであり、第２の再生周波数帯域を再生させるバランスドアーマチュアは、高音域帯域を再生させるバランスドアーマチュアであり得る。
【００８５】
次に、使用すると決定された各々のオーディオ出力手段に対して少なくとも一つのフィルタを使用して再生周波数帯域を調整する（ステップ１８２０）。この場合、上記少なくとも一つのフィルタは周波数によるフィルタリングを行うことができる。
【００８６】
次に、調整された再生周波数帯域で使用すると決定された各々のオーディオ出力手段を再生させて、上記モバイル装置の外部に上記オーディオデータ信号を出力する（ステップ１８３０）。すなわち、調整された再生周波数帯域で使用すると決定された各々のオーディオ出力手段を再生させて音響信号を再生することによって、モバイル装置の外部に上記オーディオデータ信号を出力してユーザに提供する。
【００８７】
図１９は、本発明の他の実施形態であるモバイル装置の制御方法に対するフローチャートである。
【００８８】
図１９を参照すれば、まずモバイル装置の少なくとも一つのオーディオ出力手段とバランスドアーマチュアで再生されるオーディオデータ信号の入力を受ける（ステップ１９００）。
【００８９】
次に第１のオーディオ出力手段の第１の再生周波数帯域とバランスドアーマチュアの第２の再生周波数帯域を調整するための入力を受ける（ステップ１９１０）。この場合、ユーザから上記第１のオーディオ出力手段の上記第１の再生周波数帯域と上記バランスドアーマチュアの第２の再生周波数帯域を調整するための入力を受けることもできる。この場合、上記第１の再生周波数帯域を再生させる第１のオーディオ出力手段は低音域帯域を再生させるダイナミックレシーバであり、上記第２の再生周波数帯域を再生させるバランスドアーマチュアは高音域帯域を再生させるバランスドアーマチュアであり得る。
【００９０】
次に、少なくとも一つのフィルタを使用して、上記モバイル装置のオーディオデータ信号の第１の再生周波数帯域を再生させる第１のオーディオ出力手段の第１の再生周波数帯域と上記モバイル装置のオーディオデータ信号の第２の再生周波数帯域を再生させるバランスドアーマチュアの第２の再生周波数帯域をステップ１９１０で受信した各々の再生周波数帯域で調整する（ステップ１９２０）。この場合、上記少なくとも一つのフィルタは、周波数によるフィルタリングを行うことができる。例えば、第１のオーディオ出力手段の第１の再生帯域には、低域フィルタを使用して再生周波数帯域を調整し、バランスドアーマチュアの第２の再生帯域には高域フィルタを使用して再生周波数帯域を調整することができる。
【００９１】
次に、調整された第１の再生周波数帯域で上記第１のオーディオ出力手段を再生させ、調整された第２の再生周波数帯域で上記バランスドアーマチュアを再生させることで、上記モバイル装置の外部に上記オーディオデータ信号を出力する（ステップ１９３０）。すなわち、調整された第１の再生周波数帯域で上記第１のオーディオ出力手段を再生させ、調整された第２の再生周波数帯域で上記バランスドアーマチュアを再生させて音響信号を再生することによって、モバイル装置の外部に上記オーディオデータ信号を出力してユーザに提供する。
【００９２】
図２０は、本発明の他の実施形態モバイル装置の制御方法に対するフローチャートである。
【００９３】
図２０を参照すれば、まずモバイル装置の少なくとも一つのオーディオ出力手段とバランスドアーマチュアで再生されるオーディオデータ信号の入力を受ける（ステップ２０００）。
【００９４】
次に、制御部１１０は、ワイドバンド再生周波数帯域がサポートされるワイドバンド音声通話サービスが上記モバイル装置において利用可能であるか否かを判断する（ステップ２００２）。この場合、ワイドバンド再生周波数帯域はナローバンド再生周波数帯域より広いオーディオデータ信号再生周波数帯域を有する。そして、制御部１１０は、上記モバイル装置に含まれた通信モジュールまたはＧＰＳモジュールを利用して、基地局と通信するか、またはキャリアを判断することで、オーディオデータ信号に対する音声チャンネル情報がワイドバンド再生周波数帯域であるか否かを判断することができる。
【００９５】
次に、制御部１１０は、ワイドバンド音声通話サービスが上記モバイル装置において利用可能であれば、オーディオ出力手段とバランスドアーマチュアの両方を通して、オーディオデータ信号を再生させることができる（ステップ２００４）。例えば、第１の再生周波数帯域を再生させる第１のオーディオ出力手段は、低音域帯域を再生させるダイナミックレシーバであり、第２の再生周波数帯域を再生させるバランスドアーマチュアが、高音域帯域を再生させる場合を説明する。上記の場合、ワイドバンド音声通話サービスが可能であれば、低音域周波数帯域だけでなく、高音域周波数帯域に対しても再生がサポートされる。したがって、制御部１１０は、オーディオ出力手段とバランスドアーマチュアの両方を通してオーディオデータ信号を再生させることによって、低音域周波数帯域と高音域周波数帯域の両方に対してオーディオデータ信号を再生させることができる。
【００９６】
しかし、制御部１１０は、ワイドバンド音声通話サービスが上記モバイル装置において利用可能でないときは、オーディオ出力手段とバランスドアーマチュアのうちいずれか一つを通して、オーディオデータ信号を再生させることができる（ステップ２００６）。上記ワイドバンド音声通話サービスができない場合には、低音域周波数帯域と高音域周波数帯域の両方に対して再生がサポートされないので、上記オーディオ出力手段とバランスドアーマチュアのうちいずれか一つを通して、オーディオデータ信号を再生させることができる。
【００９７】
本発明の実施形態は、ハードウェア、ソフトウェア、またはハードウェア及びソフトウェアの組合せの形態で実現可能であることが分かる。このような任意のソフトウェアは、例えば、削除可能または再記録が可能であるか否かに関わらず、ＲＯＭなどの記憶装置のような揮発性または非揮発性記憶装置、または、例えば、ＲＡＭ、メモリチップ、装置または集積回路のようなメモリ、または、例えば、ＣＤ、ＤＶＤ、磁気ディスクまたは磁気テープのような光学または磁気的に記録可能であると同時に機械（例えば、コンピュータ）で読むことができる記憶媒体であることができる。また、本発明の実施形態は、制御部及びメモリを含むコンピュータまたは携帯端末により具現されることができ、上記メモリは、本発明の実施例を具現する指示を含むプログラムを記憶するに適した機械で読み取れる記憶媒体の一例であることが分かる。したがって、本発明は、本明細書の任意の請求項に記載された装置または方法を具現するためのコードを含むプログラム及びこのようなプログラムを記憶する機械（コンピュータなど）で読み取れる記憶媒体を含む。また、このようなプログラムは、有線または無線接続を通して伝えられる通信信号のような任意の媒体を通して電子的に移送でき、本発明は、これと均等なことを適切に含む。
【００９８】
また、上記モバイル装置は、有線、または無線で接続されるプログラム提供装置から上記プログラムを受信して記憶することができる。上記プログラム提供装置は、本発明の実施形態を遂行するようにする指示を含むプログラム、本発明の実施形態に必要な情報などを記憶するためのメモリと、上記モバイル装置との有線または無線通信を遂行するための通信部と、上記モバイル装置の要請または自動で該当プログラムを上記送受信装置に伝送する制御部とを含むことができる。
【符号の説明】
【００９９】
１１０  制御部
１２０  移動通信モジュール
１３０  サブ通信モジュール
１４０  マルチメディアモジュール
１５０  カメラモジュール
１５５  ＧＰＳモジュール
１６０  入出力モジュール
１７０  センサモジュール
１７５  記憶部
１８０  電源供給部
１９０  表示部
【図１】
2014033444.tif 000003
【図２】
2014033444.tif 000004
【図３】
2014033444.tif 000005
【図４Ａ】
2014033444.tif 000006
【図４Ｂ】
2014033444.tif 000007
【図５Ａ】
2014033444.tif 000008
【図５Ｂ】
2014033444.tif 000009
【図６Ａ】
2014033444.tif 000010
【図６Ｂ】
2014033444.tif 000011
【図６Ｃ】
2014033444.tif 000012
【図７Ａ】
2014033444.tif 000013
【図７Ｂ】
2014033444.tif 000014
【図７Ｃ】
2014033444.tif 000015
【図８】
2014033444.tif 000016
【図９】
2014033444.tif 000017
【図１０Ａ】
2014033444.tif 000018
【図１０Ｂ】
2014033444.tif 000019
【図１０Ｃ】
2014033444.tif 000020
【図１１】
2014033444.tif 000021
【図１２Ａ】
2014033444.tif 000022
【図１２Ｂ】
2014033444.tif 000023
【図１２Ｃ】
2014033444.tif 000024
【図１３Ａ】
2014033444.tif 000025
【図１３Ｂ】
2014033444.tif 000026
【図１３Ｃ】
2014033444.tif 000027
【図１４】
2014033444.tif 000028
【図１５Ａ】
2014033444.tif 000029
【図１５Ｂ】
2014033444.tif 000030
【図１６】
2014033444.tif 000031
【図１７】
2014033444.tif 000032
【図１８】
2014033444.tif 000033
【図１９】
2014033444.tif 000034
【図２０】
2014033444.tif 000035